(57)【要約】 【課題】水が収容された状態で、被支持部を良好に支持できるアンカー作用を発揮でき、又、扁平状態に押し潰すことによって、輸送時や保管時における軽量化、省スペース化を達成できる注水型アンカー具を提供する。【解決手段】可撓性合成樹脂からなり且つ内部に水が収容される可撓性タンク２の上面部１０に、紐状物等の他物に連結される連結部７と、可撓性タンク２に水を収容するための注水口５を具える。可撓性タンク２に水が収容されてその下面部９が設置面１７に載置された状態で可撓性タンク２の軸線Ｌが傾いたとき、下面部９の周縁側の部分１６が設置面１７に馴染んだ面状態１９に変形できる。【選択図】図４
2014224449.tif 000002
【特許請求の範囲】
【請求項１】
可撓性合成樹脂からなり且つ内部に水が収容される可撓性タンクの所要部位に、他物に連結される連結部と閉蓋可能の注水口とが設けられており、該可撓性タンクに水が収容されて該可撓性タンクの下面部が設置面に載置された状態で該可撓性タンクの軸線が傾いたときに、該下面部の周縁側の部分が該設置面に馴染んだ面状態に変形できる注水型アンカー具であって、
前記可撓性タンクは、下端開放の筒部と前記下面部を構成する下面部シート片とを用いて構成されており、該筒部の下端縁部分と該下面部シート片の縁部分とは溶着又は接着により一体化され、該一体化部分は、その周辺部分よりも厚肉に形成され、この厚肉に形成された部分が前記筒部の周方向に連続されていることを特徴とする注水型アンカー具。
【請求項２】
可撓性合成樹脂からなり且つ内部に水が収容される可撓性タンクの所要部位に、他物に連結される連結部と閉蓋可能の注水口とが設けられており、該可撓性タンクに水が収容されて該可撓性タンクの下面部が設置面に載置された状態で該可撓性タンクの軸線が傾いたときに、該下面部の周縁側の部分が該設置面に馴染んだ面状態に変形できる注水型アンカー具であって、
前記可撓性タンクは、下端開放の筒部と前記下面部を構成する下面部シート片とを用いて構成されており、該筒部の下端縁部分と該下面部シート片の縁部分とが、その内側の面相互が当接されて合掌する状態に重ね合わせられ、該重ね合わせられた部分が溶着又は接着により一体化され、該一体化部分は、その周辺部分よりも厚肉に形成され、この厚肉に形成された部分が前記筒部の周方向に連続されていることを特徴とする注水型アンカー具。
【請求項３】
可撓性合成樹脂からなり且つ内部に水が収容される可撓性タンクの所要部位に、他物に連結される連結部と閉蓋可能の注水口とが設けられており、該可撓性タンクに水が収容されて該可撓性タンクの下面部が設置面に載置された状態で該可撓性タンクの軸線が傾いたときに、該下面部の周縁側の部分が該設置面に馴染んだ面状態に変形できる注水型アンカー具であって、
前記可撓性タンクは、下端開放の筒部と前記下面部を構成する下面部シート片とを用いて構成されており、該筒部の下端縁部分と該下面部シート片の縁部分とが、その一方の内側の面とその他方の外側の面とが当接された状態に重ね合わせられ、該下端縁部分の端縁と該縁部分の端縁とは該筒部の周方向と直交する方向で見て位置ずれしており、該重ね合わせられた部分が溶着又は接着により一体化され、該一体化部分は、その周辺部分よりも厚肉に形成され、この厚肉に形成された部分が前記筒部の周方向に連続されていることを特徴とする注水型アンカー具。
【請求項４】
可撓性合成樹脂からなり且つ内部に水が収容される可撓性タンクの所要部位に、他物に連結される連結部と閉蓋可能の注水口とが設けられており、該可撓性タンクに水が収容されて該可撓性タンクの下面部が設置面に載置された状態で該可撓性タンクの軸線が傾いたときに、該下面部の周縁側の部分が該設置面に馴染んだ面状態に変形できる注水型アンカー具であって、
前記可撓性タンクは、円錐台状を呈しており、該可撓性タンクの下面部を構成する円形状の下面部シ−ト片と、上面部を構成する円形状の上面部シ−ト片と、該可撓性タンクの側面部を構成する扇形の側面部シ−ト片とを用いて構成されており、該側面部シ−ト片は、その両端の傾斜縁部分相互が溶着又は接着により一体化されて円錐状の筒部が形成される如くなされ、該円錐状の筒部の下端周縁部分と前記下面部シ−ト片の周縁部分とが、その一方の内側の面とその他方の外側の面とが当接された状態に重ね合わせられ、該下端縁部分の端縁と該縁部分の端縁とは該筒部の周方向と直交する方向で見て位置ずれしており、該重ね合わせられた部分が溶着又は接着により一体化され、該一体化部分は、その周辺部分よりも厚肉に形成され、この厚肉に形成された部分が前記筒部の周方向に連続されていることを特徴とする注水型アンカー具。
【請求項５】
可撓性合成樹脂からなり且つ内部に水が収容される可撓性タンクの所要部位に、閉蓋可能の注水口が設けられると共に、該可撓性タンクに水が収容されて該可撓性タンクの下面部が設置面に載置された状態で該可撓性タンクの軸線が傾いたときに、該下面部の周縁側の部分が該設置面に馴染んだ面状態に変形できる注水型重石であって、
前記可撓性タンクは、下端開放の筒部と前記下面部を構成する下面部シート片とを用いて構成されており、該筒部の下端縁部分と該下面部シート片の縁部分とが溶着又は接着により一体化され、該一体化部分は、その周辺部分よりも厚肉に形成され、この厚肉に形成された部分が前記筒部の周方向に連続されていることを特徴とする注水型重石。
【請求項６】
可撓性合成樹脂からなり且つ内部に水が収容される可撓性タンクの所要部位に、閉蓋可能の注水口が設けられると共に、該可撓性タンクに水が収容されて該可撓性タンクの下面部が設置面に載置された状態で該可撓性タンクの軸線が傾いたときに、該下面部の周縁側の部分が該設置面に馴染んだ面状態に変形できる注水型重石であって、
前記可撓性タンクは、下端開放の筒部と前記下面部を構成する下面部シート片とを用いて構成されており、該筒部の下端縁部分と該下面部シート片の縁部分とが、その内側の面相互が当接されて合掌する状態に重ね合わせられ、該重ね合わせられた部分が溶着又は接着により一体化され、該一体化部分は、その周辺部分よりも厚肉に形成され、この厚肉に形成された部分が前記筒部の周方向に連続されていることを特徴とする注水型重石。
【請求項７】
可撓性合成樹脂からなり且つ内部に水が収容される可撓性タンクの所要部位に、閉蓋可能の注水口が設けられると共に、該可撓性タンクに水が収容されて該可撓性タンクの下面部が設置面に載置された状態で該可撓性タンクの軸線が傾いたときに、該下面部の周縁側の部分が該設置面に馴染んだ面状態に変形できる注水型重石であって、
前記可撓性タンクは、下端開放の筒部と前記下面部を構成する下面部シート片とを用いて構成されており、該筒部の下端縁部分と該下面部シート片の縁部分とが、その一方の内側の面とその他方の外側の面とが当接された状態に重ね合わせられ、該下端縁部分の端縁と該縁部分の端縁とは該筒部の周方向と直交する方向で見て位置ずれしており、該重ね合わせられた部分が溶着又は接着により一体化され、該一体化部分は、その周辺部分よりも厚肉に形成され、この厚肉に形成された部分が前記筒部の周方向に連続されていることを特徴とする注水型重石。
【請求項８】
可撓性合成樹脂からなり且つ内部に水が収容される可撓性タンクの所要部位に、閉蓋可能の注水口が設けられると共に、該可撓性タンクに水が収容されて該可撓性タンクの下面部が設置面に載置された状態で該可撓性タンクの軸線が傾いたときに、該下面部の周縁側の部分が該設置面に馴染んだ面状態に変形できる注水型重石であって、
前記可撓性タンクは、円錐台状を呈しており、該可撓性タンクの下面部を構成する円形状の下面部シ−ト片と、上面部を構成する円形状の上面部シ−ト片と、該可撓性タンクの側面部を構成する扇形の側面部シ−ト片とを用いて構成されており、該側面部シ−ト片は、その両端の傾斜縁部分相互が溶着又は接着により一体化されて円錐状の筒部が形成される如くなされ、該円錐状の筒部の下端周縁部分と前記下面部シ−ト片の周縁部分とが、その一方の内側の面とその他方の外側の面とが当接された状態に重ね合わせられ、該下端縁部分の端縁と該縁部分の端縁とは該筒部の周方向と直交する方向で見て位置ずれしており、該重ね合わせられた部分が溶着又は接着により一体化され、該一体化部分は、その周辺部分よりも厚肉に形成され、この厚肉に形成された部分が前記筒部の周方向に連続されていることを特徴とする注水型重石。
【発明の詳細な説明】
【技術分野】
【０００１】
本発明は、注水型アンカー具に関するものであり、又、注水型重石に関するものである。より詳しくは、注水により水が収容される可撓性タンクを具えており該可撓性タンクに水が収容されることによって被支持部を良好に支持し得る注水アンカー具を構成できる一方、水を注水しない状態においては扁平状態に押し潰すことができて輸送時や保管時における軽量化、省スペース化を達成できるように構成された注水型アンカー具に関するものである。又、注水により水が収容される可撓性タンクを具えており該可撓性タンクに水が収容されることによって所要重量の注水重石を構成できる一方、水を注水しない状態においては扁平状態に押し潰すことができて輸送時や保管時における軽量化、省スペース化を達成できるように構成された注水型重石に関するものである。
【背景技術】
【０００２】
図３１において符号ａで示すものは市販のコンクリート製のアンカーブロックであり、建物ｂの窓部ｃを覆う簾ｄの下端縁部ｅの左右端部位ｆ，ｆを該簾ｄを傾斜状態にして支持するために、コンクリート面等の設置面ｇに載置して用いられている。該アンカーブロックａは、同図においては例えば立方体状に形成されており、一辺長さが１４〜１５ｃｍであって４〜６ｋｇ程度の重量を有し、その上面ｈの中央部位にはフックｊが突設されている。前記簾ｄは、その下端縁部ｅの左右端部位ｆ，ｆに、紐状物ｍの上端部分ｎが連結されると共にその下端部分ｐが該フックｊに連結されている。このようにして紐状物ｍに連結された両アンカーブロックａ，ａを前記窓部ｃから離して且つ前記下端縁部ｅの左右側に設置することにより、該左右の紐状物ｍ，ｍが傾斜した張設状態で支持されるようになされている。
【０００３】
該両アンカーブロックａ，ａは、コンクリート製であって重量が大きいために前記簾ｄを傾斜状態にして安定的に支持できる利点はあったが、以下のような問題点があった。即ち、例えばホームセンターで前記アンカーブロックを購入して持ち帰る際、その重量が大きいために持ち運びに不便を来した。又、家庭での使用の際も、その移動や保管のための持ち運びに不便を来した。
【０００４】
加えて、これが前記設置面ｇに載置されて前記簾ｄを紐状物ｍを介して傾斜状態で支持している状態で該簾ｄに突風が作用したときに、前記紐状物ｍに大きな張力が掛かって前記アンカーブロックａが転倒する恐れがあった。より詳しくは、前記アンカーブロックａは立方体状を呈しておりその下面ｑの縁ｒが直線状に形成されていたため、前記のように簾ｄに突風が作用したときに、前記アンカーブロックａが、該直線状の縁ｒを支点として図３２に示すように大きく傾いて転倒する恐れがあったのである。
【０００５】
ところで本出願人は特許文献１、特許文献２において、例えば図３３に示すような、硬質合成樹脂製のタンクｓに所定量の水が注水されることによって支柱用台座を構成できる注水型台座ｔを提供した。該注水型台座ｔは、該タンクｓに水が充填された状態においては所要重量の台座を構成できる一方、該タンクに水が収容されていない状態においては、軽量で運搬が容易である利点があった。
【０００６】
そこで本出願人は、かかる注水型台座ｔに着眼し、前記アンカーブロックａを硬質合成樹脂製の注水型のタンクとして構成すれば、水が充填されていない状態では軽量化が図られるためにその移動やその保管のための持ち運びを容易化できると考えて、例えば図３５に示すような注水型のアンカー具ｕを試作した。
【０００７】
該注水型のアンカー具ｕは、そのタンクｓの容積を４〜６リットル程度に設定したものであり、注水した状態で４〜６ｋｇの重量を有する注水型アンカー具ｖを構成できた。該注水型アンカー具ｖは、図３４（Ｂ）に示すように、その上面ｗに、前記紐状物ｍを結着できる連結部ｘと、蓋部材ｙで閉蓋される注水口ｚが設けられており、該注水口ｚより所定量の水を注水した後に該注水口ｚを蓋部材ｙで閉蓋することにより注水アンカー具ａ１を構成できた。
【０００８】
図３５は、図３１に示されている前記コンクリートブロックａを該注水アンカー具ａ１に変更した状態を示しており、建物ｂの窓部ｃを覆う簾ｄの下端縁部ｅの左右端部位ｆ，ｆに結着された紐状物ｍ，ｍの下端部分ｂ１，ｂ１が、前記注水アンカー具ａ１，ａ１の前記連結部ｘに連結されている。
【０００９】
しかしながら該注水アンカー具ａ１によるときも、そのタンクｓが硬質合成樹脂製であったため、前記コンクリートブロックａを用いた場合と同様にして、簾に突風が作用して前記紐状物ｍに大きな張力が付加された場合、該注水アンカー具ａ１の下面ｃ１の直線状側縁ｄ１を支点として該注水アンカー具ａ１，ａ１が大きく傾いて転倒する恐れがあった。
【先行技術文献】
【特許文献】
【００１０】
【特許文献１】特開２００３−１５００９４号公報
【特許文献２】特開平９−２８０４８６号公報
【発明の概要】
【発明が解決しようとする課題】
【００１１】
本発明は、注水により水が収容された状態においては被支持部を良好に支持するアンカー作用を発揮できると共に、水を注入しない状態においては扁平状態に押し潰すことができて輸送時や保管時における軽量化、省スペース化を達成できる注水型アンカー具の提供を課題とするものである。又本発明は、注水により水が収容された状態においては、転倒しにくい所望重量の重石を形成できると共に、水を注入しない状態においては扁平状態に押し潰すことができて輸送時や保管時における軽量化、省スペース化を達成できる注水型アンカー具の提供を課題とするものである。
【課題を解決するための手段】
【００１２】
前記課題を解決するため、本発明は以下の手段を採用する。
即ち、本発明に係る注水型アンカー具は、可撓性合成樹脂からなり且つ内部に水が収容される可撓性タンクの所要部位に、他物に連結される連結部と閉蓋可能の注水口とが設けられており、該可撓性タンクに水が収容されて該可撓性タンクの下面部が設置面に載置された状態で該可撓性タンクの軸線が傾いたときに、該下面部の周縁側の部分が該設置面に馴染んだ面状態に変形できる基本構成を具えており、前記可撓性タンクは、下端開放の筒部と前記下面部を構成する下面部シート片とを用いて構成されており、該筒部の下端縁部分と該下面部シート片の縁部分とは溶着又は接着により一体化され、該一体化部分は、その周辺部分よりも厚肉に形成され、この厚肉に形成された部分が前記筒部の周方向に連続されていることを特徴とするものである。
【００１３】
本発明に係る注水型アンカー具の他の態様は、前記基本構成を具えており、前記可撓性タンクは、下端開放の筒部と前記下面部を構成する下面部シート片とを用いて構成されており、該筒部の下端縁部分と該下面部シート片の縁部分とが、その内側の面相互が当接されて合掌する状態に重ね合わせられ、該重ね合わせられた部分が溶着又は接着により一体化され、該一体化部分は、その周辺部分よりも厚肉に形成され、この厚肉に形成された部分が前記筒部の周方向に連続されていることを特徴とするものである。
【００１４】
本発明に係る注水型アンカー具のその他の態様は、前記基本構成を具えており、前記可撓性タンクは、下端開放の筒部と前記下面部を構成する下面部シート片とを用いて構成されており、該筒部の下端縁部分と該下面部シート片の縁部分とが、その一方の内側の面とその他方の外側の面とが当接された状態に重ね合わせられ、該下端縁部分の端縁と該縁部分の端縁とは該筒部の周方向と直交する方向で見て位置ずれしており、該重ね合わせられた部分が溶着又は接着により一体化され、該一体化部分は、その周辺部分よりも厚肉に形成され、この厚肉に形成された部分が前記筒部の周方向に連続されていることを特徴とするものである。
【００１５】
本発明に係る注水型アンカー具のその他の態様は、前記基本構成を具えており、前記可撓性タンクは、円錐台状を呈しており、該可撓性タンクの下面部を構成する円形状の下面部シ−ト片と、上面部を構成する円形状の上面部シ−ト片と、該可撓性タンクの側面部を構成する扇形の側面部シ−ト片とを用いて構成されており、該側面部シ−ト片は、その両端の傾斜縁部分相互が溶着又は接着により一体化されて円錐状の筒部が形成される如くなされ、該円錐状の筒部の下端周縁部分と前記下面部シ−ト片の周縁部分とが、その一方の内側の面とその他方の外側の面とが当接された状態に重ね合わせられ、該下端縁部分の端縁と該縁部分の端縁とは該筒部の周方向と直交する方向で見て位置ずれしており、該重ね合わせられた部分が溶着又は接着により一体化され、該一体化部分は、その周辺部分よりも厚肉に形成され、この厚肉に形成された部分が前記筒部の周方向に連続されていることを特徴とするものである。
【００１６】
本発明に係る注水型重石は、可撓性合成樹脂からなり且つ内部に水が収容される可撓性タンクの所要部位に、閉蓋可能の注水口が設けられると共に、該可撓性タンクに水が収容されて該可撓性タンクの下面部が設置面に載置された状態で該可撓性タンクの軸線が傾いたときに、該下面部の周縁側の部分が該設置面に馴染んだ面状態に変形できる基本構成を具えており、前記可撓性タンクは、下端開放の筒部と前記下面部を構成する下面部シート片とを用いて構成されており、該筒部の下端縁部分と該下面部シート片の縁部分とが溶着又は接着により一体化され、該一体化部分は、その周辺部分よりも厚肉に形成され、この厚肉に形成された部分が前記筒部の周方向に連続されていることを特徴とするものである。
【００１７】
本発明に係る注水型重石の他の態様は、前記基本構成を具えており、前記可撓性タンクは、下端開放の筒部と前記下面部を構成する下面部シート片とを用いて構成されており、該筒部の下端縁部分と該下面部シート片の縁部分とが、その内側の面相互が当接されて合掌する状態に重ね合わせられ、該重ね合わせられた部分が溶着又は接着により一体化され、該一体化部分は、その周辺部分よりも厚肉に形成され、この厚肉に形成された部分が前記筒部の周方向に連続されていることを特徴とするものである。
【００１８】
本発明に係る注水型重石のその他の態様は、前記基本構成を具えており、前記可撓性タンクは、下端開放の筒部と前記下面部を構成する下面部シート片とを用いて構成されており、該筒部の下端縁部分と該下面部シート片の縁部分とが、その一方の内側の面とその他方の外側の面とが当接された状態に重ね合わせられ、該下端縁部分の端縁と該縁部分の端縁とは該筒部の周方向と直交する方向で見て位置ずれしており、該重ね合わせられた部分が溶着又は接着により一体化され、該一体化部分は、その周辺部分よりも厚肉に形成され、この厚肉に形成された部分が前記筒部の周方向に連続されていることを特徴とするものである。
【００１９】
本発明に係る注水型重石のその他の態様は、前記基本構成を具えており、前記可撓性タンクは、円錐台状を呈しており、該可撓性タンクの下面部を構成する円形状の下面部シ−ト片と、上面部を構成する円形状の上面部シ−ト片と、該可撓性タンクの側面部を構成する扇形の側面部シ−ト片とを用いて構成されており、該側面部シ−ト片は、その両端の傾斜縁部分相互が溶着又は接着により一体化されて円錐状の筒部が形成される如くなされ、該円錐状の筒部の下端周縁部分と前記下面部シ−ト片の周縁部分とが、その一方の内側の面とその他方の外側の面とが当接された状態に重ね合わせられ、該下端縁部分の端縁と該縁部分の端縁とは該筒部の周方向と直交する方向で見て位置ずれしており、該重ね合わせられた部分が溶着又は接着により一体化され、該一体化部分は、その周辺部分よりも厚肉に形成され、この厚肉に形成された部分が前記筒部の周方向に連続されていることを特徴とするものである。
【発明の効果】
【００２０】
本発明は以下の如き優れた効果を奏する。
(1) 本発明に係る注水型アンカー具によるときは、前記可撓性タンクに水を収容することによって、転倒に対する抵抗力の大きい注水アンカー具を構成できる。従って、該注水アンカー具の連結部に紐状物やロープ、チェーン等からなる他物を連結することによって、簾やキャンプ用のテント、園芸装置等の被覆シート等の被支持部を該他物を介して良好に支持できる。そして、前記可撓性タンクに水を注水しない状態においては注水型アンカー具を扁平状態に押し潰すことができ、従って、該注水型アンカー具を輸送する際や保管する際における軽量化、省スペース化を達成できることとなる。
【００２１】
(2) 本発明に係る注水型重石によるときは、前記可撓性タンクに水を収容することによって、転倒に対する抵抗力の大きい注水重石を構成できる。従って該注水重石は、各種のカバーシートやネット状物の縁部分等を安定的にしかもこれらを損傷することなくソフトに押えるためや、積重したシート材等の上面に載置することによってシート材等の飛散を効果的に防止するため等、各種の重石として利用できる。そして、前記可撓性タンクに水を注水しない状態においては注水型重石を扁平状態に押し潰すことができ、従って、該注水型重石を輸送する際や保管する際における軽量化、省スペース化を達成できることとなる。
【００２２】
(3) 前記連結部が、他物に設けられてなるループ状片に挿通状態となり得、且つ水平方向に延長するスライドガイド部を有しており、該ループ状片が該スライドガイド部の長さ方向で移動できるように構成したときは、可撓性タンクの転倒に対する余裕をより大きくなし得る利点がある。
【００２３】
(4) 前記可撓性タンクの上面に把手を設け、該把手は、前記スライドガイド片部を兼ねる把持部を有する如く構成するときは、把手を設ければ、その把持部をスライドガイド片部として利用できるので、スライドガイド片部と把手を別個に形成する必要がなく、構成の簡素化を図り得る。
【００２４】
(5) 前記可撓性タンクが前記張出し部分を有するときは、注水アンカー具の転倒に対する抵抗力をより増大させ得る利点がある。
【００２５】
(6) 前記可撓性タンクの上面に把手が設けられるときは、注水アンカー具や注水重石の移動を容易に行うことができると共に、該可撓性タンク内の水の排出作業も容易化できる。
【図面の簡単な説明】
【００２６】
【図１】本発明に係る注水型アンカー具を用いて構成された注水アンカー具を用いて簾を支持している状態を示す斜視図である。
【図２】円錐台状を呈する注水型アンカー具を示す斜視図である。
【図３】可撓性タンクに水を収容してなる注水アンカー具を設置面に載置した状態で示す側面図である。
【図４】可撓性タンクの軸線が傾いた状態を示す側面図である。
【図５】円柱状を呈する注水型アンカー具を示す斜視図である。
【図６】その可撓性タンクに水を収容して構成された注水アンカー具を設置面に載置した状態で示す側面図である。
【図７】円柱状の注水アンカー具と円錐台状の注水アンカー具が、その軸線が同一の角度で傾斜した状態における面状態の幅の違いを説明する説明図である。
【図８】円錐台状を呈する注水型アンカー具を構成するために用いる上面部シート片と側面部シート片と下面部シート片を示す平面図である。
【図９】注水型アンカー具に設けられている連結部がスライドガイド片部を有する場合において、他物に設けられているループ状片が該スライドガイド片部をその長さ方向で移動可能である構成を説明する斜視図である。
【図１０】可撓性タンクの上面部に設けられている注水口と蓋部材の構成を説明する断面図である。
【図１１】蓋部材で注水口を閉蓋した状態と、スライドガイド片部にループ状片が取り付けられた状態を示す断面図である。
【図１２】側面部シート片を用いて構成した円錐状筒部と、その傾斜縁部分相互を溶着した状態を示す断面図と、下面部シート片と円錐状筒部の下端周縁部分相互を重ね合わせて溶着した状態を示す断面図と、上面部シート片の周縁部分と円錐状筒部の上端周縁部分を重ね合わせて溶着した状態を示す断面図である。
【図１３】紐状物の下端に設けたループ状片がスライドガイド片部の長さ方向で移動できる場合における注水アンカー具のアンカー作用を説明する平面図と側面図である。
【図１４】紐状物の下端部分をスライドガイド片部の中央部位に移動不能に結着した場合における注水アンカー具のアンカー作用を説明する平面図と側面図である。
【図１５】図１３における場合の、注水アンカー具のアンカー作用の他の態様を示す平面図と側面図である。
【図１６】図１４における場合の、注水アンカー具のアンカー作用の他の態様を示す平面図と側面図である。
【図１７】注水アンカー具のアンカー作用のその他の態様を示す平面図と側面図である。
【図１８】注水アンカー具のアンカー作用のその他の態様を示す平面図と側面図である。
【図１９】注水型アンカー具又は注水型重石を扁平に押し潰した状態を示す平面図である。
【図２０】可撓性タンクが張出し部分を有する注水型アンカー具の他の態様を示す斜視図と側面図である。
【図２１】他物に連結される連結部の他の態様を示す斜視図である。
【図２２】スライドガイド片部に移動可能に装着されるループ状片の他の態様を示す斜視図である。
【図２３】スライドガイド片部に移動可能に装着されるループ状片のその他の態様を示す斜視図と正面図である。
【図２４】可撓性タンクの上面に設けられる把手の他の態様を示す斜視図である。
【図２５】その把手に設けられている連結部に紐状物の端部分を連結をした状態を示す側面図である。
【図２６】可撓性タンクの上面に設けられ且つスライドガイド片部を具える把手のその他の態様を示す斜視図と、該スライドガイド片部にループ状片を移動可能に設けた状態を示す側面図である。
【図２７】可撓性タンクの上面に設けられる把手のその他の態様を、他物に連結される連結部と共に示す斜視図である。
【図２８】その把手に設けられている挿通孔としての連結部に紐状物の端部分を挿通して結着した状態を示す側面図である。
【図２９】可撓性タンクの上面に設けたスライドガイド片部を水平面内で回転可能とした場合を示す斜視図と断面図である。
【図３０】そのスライドガイド片部の回転作用を説明する平面図である。
【図３１】従来のコンクリート製のアンカーブロックを用いて簾を支持した状態を示す斜視図である。
【図３２】そのアンカーブロックが転倒するときの状態を説明する説明図である。
【図３３】硬質剛性樹脂製の注水型台座をその使用状態で示す斜視図である。
【図３４】硬質剛性樹脂製の注水型のアンカー具を示す斜視図である。
【図３５】そのタンクに注水して構成した注水アンカー具を用いて簾を支持した状態を示す斜視図である。
【発明を実施するための形態】
【実施例１】
【００２７】
図１〜３において本発明に係る注水型アンカー具１は、可撓性合成樹脂製であり且つ内部に水が収容される可撓性タンク２の所要部位に、蓋部材３で閉蓋される注水口５と、他物６に連結される連結部７が設けられている。
【００２８】
該可撓性タンク２は、本実施例においては塩化ビニル製の可撓性シート材を用いて構成されてなり、その下面部９の直径がその上面部１０の直径よりも大きい円錐台状を呈し、該下面部９の全周縁１１が、該上面部１０の全周縁１２よりも外方に張り出すことによって、張出し部分１３を側部に有している。図３において示す二点鎖線は、前記上面部１０の直径の両端を下方に延長した垂線１４であり、該垂線１４の外側部分が該張出し部分１３を構成している。
【００２９】
そして図３は、該可撓性タンク２に前記注水口５から所要量の水を注水し該注水口５を閉蓋して構成された注水アンカー具１５が、コンクリート面等の設置面１７に設置された状態を示している。今、該注水アンカー具１５の該可撓性タンク２の軸線Ｌが図４に示すように傾いたとしたとき、該可撓性タンク２の下面部９の周縁側の部分１６は、該設置面１７に馴染んだ面状態１９に変形できる。このような変形が可能となるのは、前記可撓性タンク２が可撓性を有すると共に該可撓性タンク２に収容するものが、流動性に富む水であるからである。
【００３０】
図５〜６は、円錐台状を呈する前記注水アンカー具１５と同高さであり且つその直径が前記上面部１０の直径と等しい円柱状の注水アンカー具１５ａを想定したものである。なお、該円柱状の注水アンカー具１５ａを構成できる注水型アンカー具１も本発明に係る実施物の一つである。円錐台状の注水アンカー具１５と円柱状の注水アンカー具１５ａとを対比すると、円錐台状の注水アンカー具１５は前記張出し部分１３が形成されている点で異なる。今、図７に示すように、両注水アンカー具１５，１５ａの軸線Ｌ，Ｌａが同一の角度で傾斜したとすると、前記面状態１９の幅は、円錐台状の注水アンカー１５の方が円柱状の注水アンカー具１５ａに比して大きい。従って、該円錐台状の注水アンカー具１５の方が転倒に対する抵抗力が増大されているのが分かる。
【００３１】
円錐台状を呈する前記可撓性タンク２は、本実施例においては、塩化ビニル製の可撓性シート材（例えば０．２〜０．４ｍｍ程度の厚さを有するもの）を用いて構成されてなり、その下面部９の直径が２４０ｍｍ程度でその上面部１０の径が２００ｍｍ程度であり、且つその高さが１５０ｍｍ程度である円錐台状を呈しており、前記張出し部分１３を側部に有している。
【００３２】
該可撓性タンク２は、より具体的には図３、図８に示すように、前記下面部９を構成する円形状の下面部シート片２１と、前記上面部１０を構成する円形状の上面部シート片２２と、側面部２３を構成する扇形の側面部シート片２５を用いて構成されている。
【００３３】
該上面部シート片２２の上面２６の中央部分には把手２７が設けられている。該把手２７は図２（Ａ）に示すように、水平方向に延長する、例えば角丸長方形状の横断面を有する握持部２９の両端３０，３０に、下方に突出する脚部３１，３１が屈曲形成されてなり、全体が合成樹脂製（例えば塩化ビニル製）である。注水により水が収容されてなる前記可撓性タンク２を移動させる際は、該握持部２９を手で握って行うことができる。
【００３４】
該握持部２９は、本実施例においては前記したように、前記他物６に連結される前記連結部７としても機能できる。該他物６は、例えば図１に示すように、建物２４の窓部２８を覆う簾３２としての被支持部３３の下端縁部３４の左右端部位３５，３６に連結された紐状物３７として構成されており、図９、図１１に示すように、該紐状物３７の下端に設けられているループ状片３９が該連結部７に連結されている。そして前記握持部２９は、水平方向に延長する横断面矩形状の直線棒状を呈しており、手で握られる部分であると同時に、前記ループ状片３９に挿通状態となり得るスライドガイド片部４０（前記連結部７）でもある。前記握持部２９がスライドガイド片部４０としても機能する場合は、前記ループ状片３９は、図９に矢印で示すように、該スライドガイド片部４０の長さ方向で自由に移動できる。
【００３５】
又、前記上面部シート片２２の外周縁寄りの部位４１には、前記蓋部材３で閉蓋可能の前記注水口５が設けられている。該注水口５は、本実施例においては図１０〜１１に示すように、前記上面部シート片２２に設けた注水用開口４２に円筒状ネジ筒体４３を取り付けることによって該円筒状ネジ筒体４３の筒孔４５を以て構成されている。該円筒状ネジ筒体４３は合成樹脂製（例えば塩化ビニル製）であり、その内周面４６には、前記蓋部材３を構成する蓋片４７の下面で突設されているネジ筒４９を螺合させ得る雌ネジ部５０が設けられている。又、その外周面５１の上下方向の中間部位で軟質の円環状鍔片５２が一体に周設されている。そして、該円筒状ネジ筒体４３が前記注水用開口４２に挿通され且つ該円環状鍔片５２が前記上面部シート片２２の上面２６に当接された状態で、該円環状鍔片５２が該上面部シート片２２に溶着されることによって、該円筒状ネジ筒体４３が該上面部シート片２２に、防水が確保されて取り付けられている。
【００３６】
そして、前記側面部シート片２５は図１２（Ａ）（Ｂ）に示すように、両端の傾斜縁部分５３，５３が周方向で重ね合わせられて円錐状筒部５５が形成されるのであるが、該重ね合わせられた状態で、両傾斜縁部分５３，５３の端縁５６，５６は位置ずれしている。又、該円錐状筒部５５の下端周縁部分５７と前記下面部シート片２１の周縁部分５９とは図１２（Ｃ）に示すように重ね合わせられ、該下端周縁部分５７の端縁６０と該周縁部分５９の端縁６１は位置ずれしている。そして、該重ね合わせられた部分６２は、該両端縁６０，６１間の全体が周方向に溶着されている。又、前記上面部シート片２２の周縁部分６３と前記円錐状筒部５５の上端周縁部分６５とが図１２（Ｄ）に示すように重ね合わせられ、該上端周縁部分６５の端縁６６と該周縁部分６３の端縁６７とが合致している。そして、該重ね合わせられた部分６９の全体が、周方向に溶着されている。又、重ね合わせられた前記傾斜縁部分５３，５３は、その傾斜方向全長に亘って溶着されている。
【００３７】
かかる溶着は、例えば、前記傾斜縁部分５３，５３が単に重ね合わせられているだけの状態（未だ溶着されていない状態）において該円錐状筒部５５内に支持用の型部材（図示せず）を納め、溶着すべき部分を該型部材で内側から支持した状態で、前記下面部シート片２１の周縁部分５９と前記下端周縁部分５７との重ね合わせられた部分６２を外側から溶着する。又、前記上面部シート片２２の周縁部分６３と前記上端周縁部分６５との重ね合わせられた部分６９を溶着する。このように上下の溶着が終了した後、前記型部材を、重なり状態にある前記傾斜縁部分５３，５３を開いて前記円錐状筒部５５から取り出す。その後、重ね合わせられた状態にある傾斜縁部分５３，５３の全体を溶着する。これによって、図２に示すように、前記連結部７を具備する把手２７が上面７０の中央部分に設けられると共に、蓋部材３で閉蓋される前記注水口５が該上面７０の外周縁寄りの部位に設けられてなる前記注水型アンカー具１が構成されることとなる。
【００３８】
なお本実施例においては、前記下面部シート片２１の周縁部分５９と前記下端周縁部分５７との重ね合わせられた部分６２の溶着が、前記端縁６０と前記端縁６１とが位置ずれした重なり状態で行われると共に、前記側面部シート片２５の両傾斜縁部分５３，５３の重ね合わせられた部分６９の溶着が前記両端縁５６，５６が位置ずれした重なり状態で行われている。このように、両端縁６０，６１、５６，５６が位置ずれして重ね合わせられた状態で溶着しているのは、これらの溶着部分７１では比較的大きな水圧が加わることに鑑み該溶着部が水圧で破壊されにくくするためである。これに対して、前記上面部シート片２２の周縁部分６３と前記上端周縁部分６５との重なり部分の溶着が、前記端縁６６と前記端縁６７とが合致した重なり状態で行われている。該端縁６６，６７が合致した重なり状態で溶着しているのは、これらの溶着部分７２ではそれ程水圧が加わらないことに鑑み、溶着作業の能率化を達成するためである。
【００３９】
然して、該注水型アンカー具１の前記可撓性タンク２内に、前記注水口５を通して所要量の水を収容し（例えば満タン状態に収容し）前記注水口５を前記蓋部材３で閉蓋することにより、図２に示す注水アンカー具１５を構成できる。該注水アンカー具１５の重量は、例えば６ｋｇ程度に設定できる。
【００４０】
図１は、建物２４の窓部２８を覆う簾３２を該窓部２８から離れる方向（以下、前方向という）に向けて下方に傾斜する傾斜状態で支持する際に前記注水アンカー具１５を用いた場合を示している。該簾３２の下端縁部３４の左右端部位３５，３６に結着された左右の紐状物３７，３７（前記他物６，６）の下端部分７６，７６が、夫々、前記設置面１７に載置されている前記左右の注水アンカー具１５，１５の連結部７，７に連結されている。
【００４１】
図１においては、前記左右の注水アンカー具１５，１５が、前記下端縁部３４の稍前方向であって且つ、左右方向（前記前方向と直交する方向）で見て外方向に稍移動させた状態で前記設置面１７に載置されており、且つ、前記スライドガイド片部４０，４０（前記連結部７，７）の長さ方向は前記左右方向に対して４５度程度に傾斜しており、両スライドガイド片部４０，４０は、前記下端縁部３４から前方向に見てハの字状を呈している。又、前記紐状物３７，３７の下端部分７６，７６は、図１、図９に示すように、前記スライドガイド片部４０，４０の中央部位７７，７７に緩く巻回され且つ端部７９，７９が結着されてループ状片３９，３９として形成されており、前記左右の紐状物３７，３７がピンと張った状態となるように左右の注水アンカー具１５，１５の設置状態が所要に調整される。該調整は、前記握持部２９を把持して注水アンカー具１５を持ち上げることによって無理なく容易に行うことができる。
【００４２】
図１、図１３（Ａ）（Ｂ）は、左右の注水アンカー具１５，１５の位置調整後の状態を示している。図１３（Ａ）は、その平面図であり、図１３（Ｂ）は、その状態における前記可撓性タンク２の側面図であり、該可撓性タンク２は、その軸線Ｌが略上下方向を向いた正常設置状態８０にある。この状態では、該可撓性タンク２の下面部９の略全体が前記設置面１７に当接した状態にある。従って、該可撓性タンク２は極めて安定した状態にあり、前記注水アンカー具１５は十分なアンカー作用を発揮する。
【００４３】
この状態で前記簾３２が突風によって激しく煽られたときは、前記ループ状片３９は、該簾３２の下端縁部３４の前記左右端部位３５，３６の動きに応じて前記スライドガイド片部４０の長さ方向で所要に移動できる。図１３（Ｃ）は、同図の上方向を前方向と見たとき、前記右端部位３６が、前記の正常設置状態８０を示す図１３（Ａ）における場合よりも前方向且つ左方向に移動した状態を示し、該移動した状態において前記ループ状片３９は、図１３（Ｃ）の平面図に示すように、前記スライドガイド片部４０の前方側の端部８１に位置している。該紐状物３７に付加されている矢印方向の張力によって、前記可撓性タンク２は例えば図１３（Ｄ）の側面図に示すように、その下面部９の左側の周縁側の部分１６ａが前記設置面１７に馴染んだ面状態１９に変形しており、その下面部９の右側の部分８２は該設置面１７から稍浮き上がり、該可撓性タンク２の軸線Ｌは同図の左側に稍傾いている。この状態でも、該可撓性タンク２は安定した状態にあり、注水アンカー具１５は良好なアンカー作用を発揮する。
【００４４】
比較使用例１として示す図１４（Ａ）（Ｂ）は、前記左右のスライドガイド片部４０，４０が、前記下端縁部３４から前方向に見てハの字状を呈している場合であって且つ、前記下端部分７６，７６を前記スライドガイド片部４０，４０の中央部位７７，７７に、移動不能に結着により連結した場合に関するものである。図１４（Ａ）（Ｂ）は、前記可撓性タンク２の軸線Ｌが略上下方向を向いた正常設置状態８０を示している。この状態では、該可撓性タンク２の下面部９の略全体が前記設置面１７に安定的に当接した状態にある。従って、該可撓性タンク２は極めて安定した状態にあり、前記注水アンカー具１５は十分なアンカー作用を発揮する。
【００４５】
比較使用例２として示す図１４（Ｃ）（Ｄ）は、前記右端部位３６が、前記の正常設置状態８０を示す図１４（Ａ）における場合よりも前方向且つ左方向に移動した状態を示している。この状態において前記可撓性タンク２は、図１４（Ｄ）の側面図に示すように、該紐状物３７に付加されている矢印方向の張力によって、その下面部９の左側の周縁側の部分１６ａが前記設置面１７に馴染んだ面状態１９に変形しており、その下面部９の右側の部分８２は該設置面１７から比較的大きく浮き上がり、該可撓性タンク２の軸線Ｌは同図の左側に比較的大きく傾いている。
【００４６】
これに対して、前記ループ状片３９が前記スライドガイド片部４０の長さ方向で所要に移動できる前記注水アンカー具１５によるときは、図１３（Ｃ）（Ｄ）と図１４（Ｃ）（Ｄ）の対比から分かるように、前記軸線Ｌの傾きの程度が小さく、従って、前記可撓性タンク２，２の下面部９の右側の部分８２の設置面１７からの浮き上がり量が小さく、該注水アンカー具１５の転倒に対する余裕がより大きいことが分かる。
【００４７】
なお比較使用例１、２におけるように、前記下端部分７６を前記スライドガイド片部４０の中央部位７７に移動不能に連結した場合も、注水アンカー具１５は転倒の恐れがなく、良好なアンカー作用を発揮する。
【００４８】
図１３（Ｅ）は、同図の上方向を前方向と見たとき、前記右端部位３６が前記の正常設置状態８０におけるよりも後方向且つ右方向に移動した状態を示している。前記ループ状片３９は、図１３（Ｅ）の平面図に示すように、この移動に伴って前記スライドガイド片部４０の後方側の端部に位置している。この状態において前記可撓性タンク２は、図１３（Ｆ）の側面図に示すように、該紐状物３７に付加されている矢印方向の張力によって、その下面部９の左側の周縁側の部分１６ａが前記設置面１７に馴染んだ面状態１９に変形しており、その下面部９の右側の部分８２は該設置面１７から若干浮き上がり、該可撓性タンク２の軸線Ｌは同図の左側に稍傾いている。この状態でも、該可撓性タンク２は安定した状態にあり、注水アンカー具１５は良好なアンカー作用を発揮する。
【００４９】
比較使用例３として示す図１４（Ｅ）（Ｆ）は、前記右端部位３６が、前記の正常設置状態８０を示す図１４（Ａ）における場合よりも後方向且つ右方向に移動した状態を示している。この状態において前記注水アンカー具１５は、図１４（Ｆ）の側面図に示すように、該紐状物３７に付加されている矢印方向の張力によって、前記可撓性タンク２の下面部９の左側の周縁側の部分１６ａが前記設置面１７に馴染んだ面状態１９に変形しており、その下面部９の右側の部分８２は該設置面１７から比較的大きく浮き上がり、該可撓性タンク２の軸線Ｌは同図の左側に比較的大きく傾いている。
【００５０】
これに対して、前記ループ状片３９が前記スライドガイド片部４０の長さ方向で所要に移動できる前記注水アンカー具１５によるときは、図１３（Ｅ）（Ｆ）と図１４（Ｅ）（Ｆ）の対比から分かるように、前記軸線Ｌの傾きの程度が小さく、従って、該注水アンカー具１５の右側の部分８２の設置面１７からの浮き上がり量が小さく、該注水アンカー具１５の転倒に対する余裕がより大きいことが分かる。
【００５１】
なお比較使用例３におけるように、前記下端部分７６を前記スライドガイド片部４０の中央部位７７に移動不能に連結した場合も、注水アンカー具１５は転倒の恐れがなく、良好なアンカー作用を発揮する。
【００５２】
図１５は、同図の上方向を前方向と見たとき、前記右端部位３６が前記の正常設置状態８０におけるよりも後方及び左方向に移動した状態を示している。この場合は、前記ループ状片３９は、図１５（Ａ）の平面図に示すように、図１３（Ａ）に示す場合と略同様であって前記スライドガイド片部４０の中央部位７７に位置している。この状態において前記可撓性タンク２は、図１５（Ｂ）の側面図に示すように、該紐状物３７に付加されている矢印方向の張力によって、その下面部９の左側の周縁側の部分１６ａが前記設置面１７に馴染んだ面状態１９に変形しており、その下面部９の右側の部分８２は該設置面１７から比較的大きく浮き上がり、該可撓性タンク２の軸線Ｌは同図の左側に比較的大きく傾いている。この状態にあっても、左側の周縁側の部分１６ａが前記設置面１７に馴染んだ面状態１９に変形しているため、該可撓性タンク２は転倒の恐れがなく、注水アンカー具１５は良好なアンカー作用を発揮する。この状態は、次の比較使用例４に示す場合と略同様である。
【００５３】
比較使用例４として示す図１６は、前記左右のスライドガイド片部４０，４０が、前記下端縁部３４から前方に見てハの字状を呈している場合であって且つ、前記紐状物３７の下端部分７６を前記スライドガイド片部４０，４０の中央部位７７，７７に移動不能に結着により連結した場合に関するものであり、前記右端部位３６が前記の正常設置状態８０を示す図１３（Ａ）における場合よりも後方向且つ左方向に移動した状態を示している。この状態において前記可撓性タンク２は、図１６（Ｂ）の側面図に示すように、該紐状物３７に付加されている矢印方向の張力によって、その下面部９の左側の周縁側の部分１６ａが前記設置面１７に馴染んだ面状態１９に変形しており、その下面部９の右側の部分８２は該設置面１７から比較的大きく浮き上がり、該可撓性タンク２の軸線Ｌは同図の左側に比較的大きく傾いている。なお比較使用例４におけるように、前記下端部分７６を前記スライドガイド片部４０の中央部位７７に移動不能に連結した場合も、注水アンカー具１５は転倒の恐れがなく、良好なアンカー作用を発揮する。
【００５４】
図１７は、前記両スライドガイド片部４０，４０の延長方向を前後方向にして前記注水アンカー具１５，１５を前記設置面１７に設置し、且つ、前記紐状物３７（前記他物６）の下端部分７６をループ状片３９として前記スライドガイド片部４０に連結した場合を示すものである。又図１８は、前記両スライドガイド片部４０，４０の延長方向を左右方向にして前記注水アンカー具１５，１５を前記設置面１７に設置し、且つ、前記紐状物３７（前記他物６）の下端部分７６をループ状片３９として前記スライドガイド片部４０に取り付けた場合を示すものである。
【００５５】
これらの場合も、図１７（Ａ）（Ｂ）や図１８（Ａ）（Ｂ）に示す正常設置状態８０から、図１７（Ｃ）（Ｄ）〜図１７（Ｅ）（Ｆ）、図１８（Ｃ）（Ｄ）〜図１８（Ｅ）（Ｆ）に示すように、前記簾３２の下端縁部３４の前記左右端部位３５，３６の動きに応じて、前記ループ状片３９が、前記スライドガイド片部４０の長さ方向で所要に移動できる。
【００５６】
従って、前記紐状物３７に付加されている矢印方向の張力によって前記可撓性タンク２が変形しても、その変形状態は、図１７（Ｄ）、図１７（Ｆ）、図１８（Ｄ）、図１８（Ｆ）に示すように、該紐状物３７に付加されている矢印方向の張力によって、その下面部９の左側の周縁側の部分１６ａが前記設置面１７に馴染んだ面状態１９に変形するだけである。
【００５７】
より詳しくは、下面部９の例えば右側の部分８２が該設置面１７から稍浮き上がり、該可撓性タンク２の軸線Ｌが同図の左側に稍傾く程度である。それ故、この状態では、該可撓性タンク２は安定した状態にあり、注水アンカー具１５は良好なアンカー作用を発揮し得る。
【００５８】
以上のことから、スライドガイド片部４０にループ状片３９を取り付けて該ループ状片３９を該スライドガイド片部４０の長さ方向で移動可能としたときは、該ループ状片３９の前記移動によって、可撓性タンク２の下面部９の形状をそれ程変化させないで前記被支持部３３を良好に支持できることとなる。
【００５９】
前記構成を有する注水型アンカー具１は、前記のように、連結部７を具備する把手２７が設けられているため、該注水型アンカー具１の前記可撓性タンク２に前記注水口５より水を収容して構成した注水アンカー具１５は、重石としても用いることができる。このように重石としても用いられる該注水型アンカー具１を、以下注水型重石８３ともいい、可撓性タンク２に前記注水口５より水を収容して構成された重石を注水重石８５という。該注水重石８５は、例えば、ごみ収集場所でのカバーシートやネット状物等、各種のカバーシートやネット状物の縁部分や中間部分を押えて風によるバタツキを防止するために用いることができる。
【００６０】
その他、該注水重石８５は、積重したシート材の飛散を防止するために上端シート材の上面を押えるために用いることができる等、各種の重石として利用できる。そして、このように重石として用いた場合においてその軸線が傾いたときは、前記下面部９の周縁側の部分１６が設置面１７に馴染んだ面状態１９に変形できることから、該重石は転倒しにくい。
【００６１】
図１９は、水が注入されていない状態にある前記注水型アンカー具１や注水型重石８３を扁平に押し潰した状態を示している。このように押し潰した状態の注水型アンカー具１や注水型重石８３は軽量であり、又、小容積のものであるため、輸送時や保管時における軽量化、省スペース化を達成できる。
【実施例２】
【００６２】
本発明は、前記実施例で示したものに限定されるものでは決してなく、「特許請求の範囲」の記載内で種々の設計変更が可能であることはいうまでもない。その一例を挙げれば次のようである。
【００６３】
(1) 前記注水アンカー具１５が、その使用目的に応じて所要のアンカー作用を発揮し、又、前記注水重石が、その使用目的に応じて所要の重石作用を発揮するものであれば、前記可撓性タンク２の形態は、前記した円錐台状を呈するものの他、例えば図５に示すような円柱状を呈するものや、直方体状、立方体状、角錐台状等の各種形態を呈するものとして構成できる。そして、該注水アンカー具１５、該注水重石８５の重量は、その使用目的に応じて、例えば、３〜１０ｋｇの範囲で所要に設定できる。
【００６４】
(2) 図２０は、下面部９の全周縁１１が上面部１０の全周縁１２よりも外方に鍔状に張り出す張出し部分１３を有してなる可撓性タンク２の他の態様を示すものであり、円柱状部８６の下端に、外方に張り出す鍔状の張出し部分１３を設けてなる。該可撓性タンク２によるときは、該張出し部分１３が、前記と同様にして、注水アンカー具１５や注水重石８５の転倒に対する抵抗力を増大させる。
【００６５】
(3) 前記の各種形態を有する可撓性タンク２を構成する手段は、実施例１で説明したと同様に、塩化ビニル製の可撓性シート材を適宜の形状に裁断して形成したシート片を用い、該シート片の縁部分相互を溶着や接着等の手段で一体化して行うことができる。その他、塩化ビニル等の可撓性の樹脂素材を用いてブロー成形等により形成してもよい。
【００６６】
(4) 前記注水型アンカー具１において前記連結部７は、前記注水アンカー具１５が所要のアンカー効果を発揮し得る限り、図２１に示すように、前記可撓性タンク２の上面８７の中央部分に突出部８９として設けられることもある。該突出部８９に設けられている連結孔９０には、紐状物等としての前記他物６の下端部分が結着により連結される。又前記連結部７は、前記可撓性タンク２の側面部の上下端部位や中間部位等に設けられることもある。又該連結部７は、所要のアンカー機能を発揮し得るように、適宜の位置に複数個設けられることもある。
【００６７】
(5) 前記注水型アンカー具１や前記注水型重石８３に設けられる前記注水口５は、可撓性タンク２への注水に支障のない限り、前記可撓性タンク２の側面部や底面部等に設けられてもよい。
【００６８】
(6) 前記連結部７がスライドガイド片部４０を有する場合、該スライドガイド片部４０の横断面形態は、前記したような角丸の長方形状を呈するものの他、前記ループ状片３９が、該スライドガイド片部４０の長さ方向で円滑に移動できる限り、円形状や楕円形状を呈するもの等、各種に構成され得る。
【００６９】
(7) 前記スライドガイド片部４０が挿通される前記ループ状片３９は、例えば図２２に示すような円形リング状部材９１や、例えば図２３に示すような、リング状部９２の側部に設けられている導入開口９３を枢着閉止杆９５で閉止可能としてなるフック状リング部材９６等を用いて構成することもできる。該フック状リング部材９６によるときは、前記枢着閉止杆９５を開いた状態で、前記導入開口９３を通して前記スライドガイド片部４０を該リング状部９２に嵌め入れ、その後、前記閉止杆９５を弾性的に閉じた状態とすることによって行うことができる。図２２、図２３（Ａ）において符号３７は、該円形リング状部材９１や該フック状リング部材９６の結着環部９８に結着された紐状物（前記他物６の一種）である。
【００７０】
(8) 前記注水型重石８３を構成する前記把手２７は、手に馴染む形態のものであれば各種形態に構成され得る。
【００７１】
図２４〜２５は、該把手２７の他の態様を示すものであり、該把手２７を構成する一方の脚部３１ａに、欠切部９７としての連結部７を設けることにより、該欠切部９７に、例えば紐状物３７（前記他物６の一種）の端部に設けられてなるループ状片３９を掛着させ得るようになされている。又、他方の脚部３１ｂに設けられている挿通孔９９としての連結部７に、例えば紐状物３７（前記他物６の一種）の端部分１００を挿通して結着することにより、該他物６を該連結部７に連結させ得るようになされている。
【００７２】
図２６は、前記把手２７が前記スライドガイド片部４０を具える場合において、該把手２７を構成する一方の脚部３１ａと前記上面部１０との間に設けた導入溝１０１に図２６（Ｂ）に示すように、例えば前記ループ状片３９を通し、該ループ状片３９に前記スライドガイド片部４０が挿通状態となり得るように構成した場合を示している。又、他方の脚部３１ｂに設けられている挿通孔９９としての連結部７に、例えば紐状物３７（前記他物６の一種）の端部分を挿通して結着することにより、該他物６を該連結部７に連結させ得るようになされている。
【００７３】
図２７〜２８は、前記把手２７のその他の態様を示すものであり、該把手２７を構成する握持部２９とその両端の両脚部３１ａ，３２ｂに挿通孔９９ａ，９９ｂ，９９ｃとしての連結部７を設けてなり、夫々の連結部９９ａ，９９ｂ，９９ｃに、図２８に示すように、例えば紐状物３７（前記他物６の一種）の端部分１００を挿通して結着することにより、該他物６を該連結部７に連結させ得るようになされている。このように構成する場合は、一つの注水アンカー具１５を用いて、複数方向からの紐状物３７の端部分１００を、図２８に一点鎖線で示すように、所要の挿通孔９９（連結部７）を選択して合理的に連結できることとなって好ましい。
【００７４】
(9) 本発明に係る注水型アンカー具１を用いて構成された注水アンカー具１５は、前記した簾３２の下部の支持の他、例えばキャンプ用のテントを支持するアンカー具や園芸装置を構成する被覆シートを支持するアンカー具、各種のカバー材や押え紐等を安定的に支持するためのアンカー具等として用いることができる。
【００７５】
(10)前記可撓性合成樹脂は、前記の可撓性を有する塩化ビニルの他、可撓性を有するポリエチレンやポリエステル、ポリプロピレン、ナイロン等の樹脂であってもよい。例えば塩化ビニル製の可撓性シート材を用いて可撓性タンク２を構成する場合は、該可撓性シート材として、その内部が繊維で適宜補強されたものを用いるのが好ましい。
【００７６】
(11)前記他物６には、紐状物やロープ、チェーン、金属線材等が含まれ、その端部等が前記連結部７に連結される。
【００７７】
(12)図２９は、前記スライドガイド片部４０としての連結部７を有する把手２７の下部１０２の中央部位１０３を前記可撓性タンク２の上面８７の中央部位に、水平面内で回転可能に連結した場合を示している。このように構成するときは、該スライドガイド片部４０に前記ループ状片３９が取り付けられた状態において、該スライドガイド片部４０の水平面内での適宜の回転によって、前記可撓性タンク２の下面部９の周縁側の部分１６をそれほど変形させないで所要のアンカー作用を発揮させ得る場合がある。
【００７８】
例えば、前記簾３２の下端縁部３４に連結された紐状物３７に図３０（Ａ）に矢印Ｆ１で示す方向の張力が付加されている状態において、今、該紐状物３７に、図３０（Ａ）に一点鎖線の矢印Ｆ２で示す方向の張力が付加されたとする。図３０（Ｂ）は、該張力Ｆ２による回転作用によって前記スライドガイド片部４０が水平面内で回転した状態を示している。前記スライドガイド片部４０がこのように回転することによって、前記可撓性タンク２の下面部９の周縁側の部分１６の変形を、かかる回転が生じない場合に比してより小さく抑制できることとなる。
【符号の説明】
【００７９】
１  注水型アンカー具
２  可撓性タンク
３  蓋部材
５  注水口
６  他物
７  連結部
９  下面部
１０  上面部
１１  下面部の全周縁
１２  上面部の全周縁
１３  張出し部分
１５  注水アンカー具
１６  下面部の周縁側の部分
１７  設置面
１９  面状態
２１  下面部シート片
２２  上面部シート片
２３  側面部
２５  側面部シート片
２７  把手
３３  被支持部
３７  紐状物
３９  ループ状片
４０  スライドガイド片部
４２  注水用開口
４７  蓋片
５３  傾斜縁部分
５５  円錐状筒部
５６  端縁
５７  下端周縁部分
５９  周縁部分
６２  重ね合わせられた部分
６９  重ね合わせられた部分
７１  溶着部分
８０  正常設置状態
８３  注水型重石
８５  注水重石
【図１】
2014224449.tif 000003
【図２】
2014224449.tif 000004
【図３】
2014224449.tif 000005
【図４】
2014224449.tif 000006
【図５】
2014224449.tif 000007
【図６】
2014224449.tif 000008
【図７】
2014224449.tif 000009
【図８】
2014224449.tif 000010
【図９】
2014224449.tif 000011
【図１０】
2014224449.tif 000012
【図１１】
2014224449.tif 000013
【図１２】
2014224449.tif 000014
【図１３】
2014224449.tif 000015
【図１４】
2014224449.tif 000016
【図１５】
2014224449.tif 000017
【図１６】
2014224449.tif 000018
【図１７】
2014224449.tif 000019
【図１８】
2014224449.tif 000020
【図１９】
2014224449.tif 000021
【図２０】
2014224449.tif 000022
【図２１】
2014224449.tif 000023
【図２２】
2014224449.tif 000024
【図２３】
2014224449.tif 000025
【図２４】
2014224449.tif 000026
【図２５】
2014224449.tif 000027
【図２６】
2014224449.tif 000028
【図２７】
2014224449.tif 000029
【図２８】
2014224449.tif 000030
【図２９】
2014224449.tif 000031
【図３０】
2014224449.tif 000032
【図３１】
2014224449.tif 000033
【図３２】
2014224449.tif 000034
【図３３】
2014224449.tif 000035
【図３４】
2014224449.tif 000036
【図３５】
2014224449.tif 000037